(57)【要約】【課題】不用意にオフすることなく、且つ簡単にオフ操作できる換気扇用電子スイッチを提供する。【解決手段】換気扇Ｆが常時運転している状態でオン／オフ操作スイッチＳＷ１を押操作すると、制御回路部４はこの押操作開始から押操作終了までの時間（押操作時間）を計測し、この押操作時間が予め規定した時間以上であればこのオン／オフ操作スイッチＳＷ１からの入力を受け付けて、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。【選択図】        図１
2005016818.tif 000002
【特許請求の範囲】
【請求項１】
商用電源から負荷である換気扇への電力供給をオン・オフする負荷開閉手段を具備する負荷制御部と、負荷開閉手段のオン・オフを操作する押釦形の操作部と、操作部のオン・オフ操作に応じて負荷制御部の負荷開閉手段をオン・オフ制御するマイクロコンピュータを具備する制御回路部と、商用電源を所定の動作電源に変換して本スイッチの動作電源とする電源回路部とを備え、制御回路部は、負荷開閉手段がオフ状態時に操作部のオン操作が行われた場合、負荷開閉手段をオフ状態からオン状態に移行させ、負荷開閉手段がオン状態時に操作部のオフ操作が行われた場合、所定時間以上連続してオフ操作されたときのみ負荷開閉手段をオン状態からオフ状態に移行させることを特徴とする換気扇用電子スイッチ。
【請求項２】
前記負荷開閉手段の両端間に商用電源と換気扇との直列回路、及び前記電源回路部を接続することを特徴とする請求項１記載の換気扇用電子スイッチ。
【請求項３】
前記制御回路部は、前記負荷開閉手段がオフ状態時に操作部のオン操作が行われた場合、所定時間以上連続してオン操作されたときのみ負荷開閉手段をオフ状態からオン状態に移行させることを特徴とする請求項１または２記載の換気扇用電子スイッチ。
【請求項４】
押釦形の一時停止操作スイッチを備え、前記制御回路部は、前記負荷開閉手段がオン状態時に一時停止操作スイッチの操作が行われた場合、負荷開閉手段をオン状態からオフ状態に一定時間移行させた後、負荷開閉手段をオフ状態からオン状態に再び移行させることを特徴とする請求項１乃至３いずれか記載の換気扇用電子スイッチ。
【請求項５】
前記制御回路部は、前記負荷開閉手段がオン状態時に前記操作部が第１の操作時間未満で操作された場合、負荷開閉手段をオン状態からオフ状態に一定時間移行させた後、負荷開閉手段をオフ状態からオン状態に再び移行させることを特徴とする請求項１乃至３いずれか記載の換気扇用電子スイッチ。
【請求項６】
前記制御回路部は、前記負荷開閉手段をオン状態からオフ状態に前記一定時間移行させている状態時に前記一時停止操作スイッチが操作された場合、該操作時点から前記一定時間が経過するまで負荷開閉手段のオフ状態を延長することを特徴とする請求項４記載の換気扇用電子スイッチ。
【請求項７】
前記制御回路部は、前記負荷開閉手段をオン状態からオフ状態に前記一定時間移行させている状態時に前記操作部が操作された場合、該操作時点から前記一定時間が経過するまで負荷開閉手段のオフ状態を延長することを特徴とする請求項５記載の換気扇用電子スイッチ。
【請求項８】
前記制御回路部は、前記負荷開閉手段をオン状態からオフ状態に前記一定時間移行させている状態時に前記一時停止操作スイッチが操作された場合、該操作時点から負荷開閉手段をオン状態に移行させることを特徴とする請求項４記載の換気扇用電子スイッチ。
【請求項９】
前記制御回路部は、前記負荷開閉手段をオン状態からオフ状態に前記一定時間移行させている状態時に前記操作部が操作された場合、該操作時点から負荷開閉手段をオン状態に移行させることを特徴とする請求項５記載の換気扇用電子スイッチ。
【請求項１０】
前記制御回路部は、前記負荷開閉手段をオン状態からオフ状態に前記一定時間移行させている状態時に前記一時停止操作スイッチが所定の操作時間未満で操作された場合、該操作時点から前記一定時間が経過するまで負荷開閉手段のオフ状態を延長し、前記一時停止操作スイッチが所定の操作時間以上で操作された場合、該操作時点から負荷開閉手段をオン状態に移行させることを特徴とする請求項４記載の換気扇用電子スイッチ。
【請求項１１】
前記制御回路部は、前記負荷開閉手段をオン状態からオフ状態に前記一定時間移行させている状態時に前記操作部が第２の操作時間未満で操作された場合、該操作時点から前記一定時間が経過するまで負荷開閉手段のオフ状態を延長し、前記操作部が第２の操作時間以上で操作された場合、該操作時点から負荷開閉手段をオン状態に移行させることを特徴とする請求項５記載の換気扇用電子スイッチ。
【請求項１２】
規格化された１個モジュールに形成された埋込型の配線器具を上下方向に上、中、下の３個並べて取り付けることのできる３組の器具取付手段を設けた器具取付孔を有する３個モジュールの取付枠に取り付け可能で、取付枠の上下方向に対応する寸法が１個モジュールの整数倍に形成されて、取付枠の器具取付手段に取り付けるための取付手段を具備する器体と、前記操作部に使用者の手の操作力を伝えるための操作用押釦部とを備え、器体の内部には前記負荷制御部、操作部、制御回路部、電源回路部が収納されることを特徴とする請求項１乃至１１いずれか記載の換気扇用電子スイッチ。
【請求項１３】
ＬＥＤと、ＬＥＤに流れる電流を制限する抵抗とから構成される表示灯部を備え、ＬＥＤは、前記負荷開閉手段がオン状態であるときは連続点灯し、負荷開閉手段がオフ状態であるときは消灯し、負荷開閉手段をオン状態からオフ状態に前記一定時間移行させているときは点滅することを特徴とする請求項４または５記載の換気扇用電子スイッチ。
【発明の詳細な説明】
【０００１】
【発明の属する技術分野】
本発明は、換気扇用電子スイッチに関するものである。
【０００２】
【従来の技術】
近年、シックハウス対策として、ホルムアルデヒドを発散する建材を使用しない場合でも、家具からの発散があるため、原則として全ての建築物に機械換気設備（常時換気設備）の設置を義務付けられることとなった。この常時換気設備に用いる換気扇は、メンテナンスや長期の外出時以外に不用意にオフされることなく作動状態を保持し、設備の意図する性能が継続的に発揮できることが望ましいものである。しかし、電灯などの点滅用に使用される従来のスイッチ等は容易にオン・オフできる構造となっているため、これらのスイッチを換気扇に用いると不用意にオフされる可能性が高い。
【０００３】
そこで、換気装置の通常の運転時には換気装置用スイッチをカバーにより隠すことで、不用意に換気扇のスイッチがオフされることなく換気扇が連続して運転され、常に継続して換気を行うことができるカバー付きスイッチが提供された。（例えば、特許文献１参照）
また、操作スイッチが所定時間以上操作された場合に、その操作スイッチに割り当てた通常とは異なる機能を有効にするスイッチもあるが、換気扇の電源をオン・オフする用途向けではなかった。（例えば、特許文献２参照）
【０００４】
【特許文献１】
特開平７−３２０５８１号公報（段落番号［００１３］、図１）
【特許文献２】
特開平６−３３３４５５号公報（段落番号［００１６］〜［００１８］、図３）
【０００５】
【発明が解決しようとする課題】
常時はスイッチの前面に設けたカバーにスイッチが隠されている前記特許文献１の構造を有するカバー付スイッチでは、カバーの内側に換気扇の電源用スイッチのように常時は使用しない用途のもの以外を連用取付すると著しく使い勝手が悪いという不具合が生じる。
【０００６】
また、カバーが専用のものとなるため、ＪＩＳＣ８３１６で規格化されている通常のフラッシプレートのように、規格化された２個以上のスイッチボックス用のフラッシプレートを用いて他の用途のスイッチと組み合わせて壁面に取り付けることもできないという不具合がある。
【０００７】
さらに、常時換気設備の電源を不用意にオフされないように工夫した専用コントローラーを用いて操作する常時換気システムはあるがコントローラに汎用性がなく、換気装置の選択の幅が著しく狭められてしまう。
【０００８】
本発明は、上記事由に鑑みてなされたものであり、その目的は、不用意にオフすることなく、且つ簡単にオフ操作できる換気扇用電子スイッチを提供することにある。
【０００９】
【課題を解決するための手段】
請求項１の発明は、商用電源から負荷である換気扇への電力供給をオン・オフする負荷開閉手段を具備する負荷制御部と、負荷開閉手段のオン・オフを操作する押釦形の操作部と、操作部のオン・オフ操作に応じて負荷制御部の負荷開閉手段をオン・オフ制御するマイクロコンピュータを具備する制御回路部と、商用電源を所定の動作電源に変換して本スイッチの動作電源とする電源回路部とを備え、制御回路部は、負荷開閉手段がオフ状態時に操作部のオン操作が行われた場合、負荷開閉手段をオフ状態からオン状態に移行させ、負荷開閉手段がオン状態時に操作部のオフ操作が行われた場合、所定時間以上連続してオフ操作されたときのみ負荷開閉手段をオン状態からオフ状態に移行させることを特徴とする。
【００１０】
請求項２の発明は、請求項１において、前記負荷開閉手段の両端間に商用電源と換気扇との直列回路、及び前記電源回路部を接続することを特徴とする。
【００１１】
請求項３の発明は、請求項１または２において、前記制御回路部は、前記負荷開閉手段がオフ状態時に操作部のオン操作が行われた場合、所定時間以上連続してオン操作されたときのみ負荷開閉手段をオフ状態からオン状態に移行させることを特徴とする。
【００１２】
請求項４の発明は、請求項１乃至３いずれかにおいて、押釦形の一時停止操作スイッチを備え、前記制御回路部は、前記負荷開閉手段がオン状態時に一時停止操作スイッチの操作が行われた場合、負荷開閉手段をオン状態からオフ状態に一定時間移行させた後、負荷開閉手段をオフ状態からオン状態に再び移行させることを特徴とする。
【００１３】
請求項５の発明は、請求項１乃至３いずれかにおいて、前記制御回路部は、前記負荷開閉手段がオン状態時に前記操作部が第１の操作時間未満で操作された場合、負荷開閉手段をオン状態からオフ状態に一定時間移行させた後、負荷開閉手段をオフ状態からオン状態に再び移行させることを特徴とする。
【００１４】
請求項６の発明は、請求項４において、前記制御回路部は、前記負荷開閉手段をオン状態からオフ状態に前記一定時間移行させている状態時に前記一時停止操作スイッチが操作された場合、該操作時点から前記一定時間が経過するまで負荷開閉手段のオフ状態を延長することを特徴とする。
【００１５】
請求項７の発明は、請求項５において、前記制御回路部は、前記負荷開閉手段をオン状態からオフ状態に前記一定時間移行させている状態時に前記操作部が操作された場合、該操作時点から前記一定時間が経過するまで負荷開閉手段のオフ状態を延長することを特徴とする。
【００１６】
請求項８の発明は、請求項４において、前記制御回路部は、前記負荷開閉手段をオン状態からオフ状態に前記一定時間移行させている状態時に前記一時停止操作スイッチが操作された場合、該操作時点から負荷開閉手段をオン状態に移行させることを特徴とする。
【００１７】
請求項９の発明は、請求項５において、前記制御回路部は、前記負荷開閉手段をオン状態からオフ状態に前記一定時間移行させている状態時に前記操作部が操作された場合、該操作時点から負荷開閉手段をオン状態に移行させることを特徴とする。
【００１８】
請求項１０の発明は、請求項４において、前記制御回路部は、前記負荷開閉手段をオン状態からオフ状態に前記一定時間移行させている状態時に前記一時停止操作スイッチが所定の操作時間未満で操作された場合、該操作時点から前記一定時間が経過するまで負荷開閉手段のオフ状態を延長し、前記一時停止操作スイッチが所定の操作時間以上で操作された場合、該操作時点から負荷開閉手段をオン状態に移行させることを特徴とする。
【００１９】
請求項１１の発明は、請求項５において、前記制御回路部は、前記負荷開閉手段をオン状態からオフ状態に前記一定時間移行させている状態時に前記操作部が第２の操作時間未満で操作された場合、該操作時点から前記一定時間が経過するまで負荷開閉手段のオフ状態を延長し、前記操作部が第２の操作時間以上で操作された場合、該操作時点から負荷開閉手段をオン状態に移行させることを特徴とする。
【００２０】
請求項１２の発明は、請求項１乃至１１いずれかにおいて、規格化された１個モジュールに形成された埋込型の配線器具を上下方向に上、中、下の３個並べて取り付けることのできる３組の器具取付手段を設けた器具取付孔を有する３個モジュールの取付枠に取り付け可能で、取付枠の上下方向に対応する寸法が１個モジュールの整数倍に形成されて、取付枠の器具取付手段に取り付けるための取付手段を具備する器体と、前記操作部に使用者の手の操作力を伝えるための操作用押釦部とを備え、器体の内部には前記負荷制御部、操作部、制御回路部、電源回路部が収納されることを特徴とする。
【００２１】
請求項１３の発明は、請求項４または５において、ＬＥＤと、ＬＥＤに流れる電流を制限する抵抗とから構成される表示灯部を備え、ＬＥＤは、前記負荷開閉手段がオン状態であるときは連続点灯し、負荷開閉手段がオフ状態であるときは消灯し、負荷開閉手段をオン状態からオフ状態に前記一定時間移行させているときは点滅することを特徴とする。
【００２２】
【発明の実施の形態】
以下、本発明の実施の形態を図面に基づいて説明する。
【００２３】
（実施形態１）
本実施形態の換気扇用電子スイッチ（以下電子スイッチと称する）Ａは図１に示すように、商用電源ＡＣ及び負荷機器である換気扇Ｆを外部から接続する端子部１と、商用電源ＡＣから換気扇Ｆへの電力供給をオン・オフする負荷開閉手段を具備する負荷制御部２と、負荷開閉手段のオン・オフを操作する押釦形の操作部３と、マイクロコンピュータを具備して電子スイッチＡの動作を制御する制御回路部４と、商用電源ＡＣを所定の動作電源に変換して電子スイッチＡの動作電源とする電源回路部５と、電子スイッチＡの動作状態を報知する表示灯部６とから構成される。
【００２４】
商用電源ＡＣは端子部１の端子１ａに電圧側配線を接続し，端子１ｂに設置側配線を接続して、換気扇Ｆは端子１ｃ，１ｄに接続する。電子スイッチＡの内部では、端子１ｂ，１ｃは互いに接続され、端子１ａ、１ｄ間には負荷制御部２が挿入されており、負荷制御部２内の負荷開閉手段がオン・オフすることで、商用電源ＡＣの出力を換気扇Ｆに導通・遮断している。
【００２５】
操作部３は１つの押釦形のオン／オフ操作スイッチＳＷ１から構成されて、制御回路部４に接続されており、オン／オフ操作スイッチＳＷ１を押操作する度に制御回路部４は負荷制御部２にオン信号またはオフ信号（オン・オフ信号）を出力する。オン・オフ信号は光信号または電気信号によって負荷制御部２に伝達され、負荷制御部２はこのオン・オフ信号に応じて負荷開閉手段のオン・オフを行い、換気扇Ｆへの電力供給をオン・オフしている。
【００２６】
電源回路部５は端子１ａ，１ｂを介して商用電源ＡＣに接続しており、制御回路部４に所望の動作電源を供給している。
【００２７】
本実施形態の動作について、図２（ａ），（ｂ）の動作フローを用いて説明する。まず負荷開閉手段がオフして換気扇Ｆへの電力供給がオフしている状態で、オン／オフ操作スイッチＳＷ１を押操作すると（時間ｔ０）、制御回路部４は即時にオン信号を負荷制御部２に出力し、負荷制御部２は負荷開閉手段をオンして、商用電源ＡＣから換気扇Ｆへの電力供給をオンして換気扇Ｆを運転させる。
【００２８】
そして換気扇Ｆが常時運転している状態でオン／オフ操作スイッチＳＷ１を押操作すると（時間ｔ１）、制御回路部４はこの押操作開始（時間ｔ１）から押操作終了（時間ｔ２）までの時間（押操作時間）を計測し、この押操作時間（ｔ２−ｔ１）が予め規定した数秒程度の時間（本実施形態では３秒とする）以上であればこのオン／オフ操作スイッチＳＷ１からの入力を受け付ける。しかし今回の押操作時間（ｔ２−ｔ１）が３秒未満であったので、制御回路部４はオン／オフ操作スイッチＳＷ１からの入力をキャンセルし、制御回路部４は負荷制御部２にオフ信号を出力しないで、換気扇Ｆの運転を継続する。
【００２９】
再びオン／オフ操作スイッチＳＷ１を押操作すると（時間ｔ３）、今回の押操作時間（ｔ４−ｔ３）が３秒以上であったので、制御回路部４はオン／オフ操作スイッチＳＷ１からの入力を受け付けて、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【００３０】
図３は本実施形態の状態遷移図を示しており、換気扇Ｆが停止している状態（オフ状態）でオン／オフ操作スイッチＳＷ１が押操作されると（Ｓ１）、換気扇Ｆが運転している状態（オン状態）に即時に移行する。また、換気扇Ｆが運転している状態（オン状態）ではオン／オフ操作スイッチＳＷ１が３秒以上押操作されると（Ｓ２）、換気扇Ｆが停止している状態（オフ状態）に移行する。
【００３１】
上記本実施形態では、オン状態からオフ状態に移行するためにはオン／オフ操作スイッチＳＷ１を３秒以上押操作しなければならず、したがって不用意にオフすることなく、且つ容易に使用者の判断によりオフさせることも可能であり、常時換気設備として、設備の意図する性能を継続的に発揮することができる。さらには、本字実施形態の電子スイッチＡは小型、且つ常時換気設備を安価に構成できるものである。
【００３２】
また、電子スイッチの各動作は、内部に設けた制御回路部４の制御で対応するためオフ操作以外の操作性を損なうこともなく、さらに従来例のようなカバーを構成する部品を不必要とすることができる。
【００３３】
（実施形態２）
本実施形態の電子スイッチＡは実施形態１と略同様であるが、図４に示すように、操作部３を押釦形のオン操作スイッチＳＷ２と押釦形のオフ操作スイッチＳＷ３とから構成した点が異なり、同様の構成には同一の符号を付して説明は省略する。
【００３４】
本実施形態の動作について、図５（ａ）〜（ｃ）の動作フローを用いて説明する。まず負荷開閉手段がオフして換気扇Ｆへの電力供給がオフしている状態で、オン操作スイッチＳＷ２を押操作すると（時間ｔ１０）、制御回路部４は即時にオン信号を負荷制御部２に出力し、負荷制御部２は負荷開閉手段をオンして、商用電源ＡＣから換気扇Ｆへの電力供給をオンして換気扇Ｆを運転させる。
【００３５】
そして換気扇Ｆが常時運転している状態でオフ操作スイッチＳＷ３を押操作すると（時間ｔ１１）、制御回路部４はこの押操作開始（時間ｔ１１）から押操作終了（時間ｔ１２）までの時間（押操作時間）を計測し、この押操作時間（ｔ１２−ｔ１１）が予め規定した数秒程度の時間（本実施形態では３秒とする）以上であればこのオフ操作スイッチＳＷ３からの入力を受け付ける。しかし今回の押操作時間（ｔ１２−ｔ１１）が３秒未満であったので、制御回路部４はオフ操作スイッチＳＷ３からの入力をキャンセルし、制御回路部４は負荷制御部２にオフ信号を出力しないで、換気扇Ｆの運転を継続する。
【００３６】
再びオフ操作スイッチＳＷ３を押操作すると（時間ｔ１３）、今回の押操作時間（ｔ１４−ｔ１３）が３秒以上であったので、制御回路部４はオフ操作スイッチＳＷ３からの入力を受け付けて、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【００３７】
本実施形態の状態遷移図は図３に示され、換気扇Ｆが停止している状態（オフ状態）でオン操作スイッチＳＷ２が押操作されると（Ｓ１）、換気扇Ｆが運転している状態（オン状態）に即時に移行する。また、換気扇Ｆが運転している状態（オン状態）ではオフ操作スイッチＳＷ３が３秒以上押操作されると（Ｓ２）、換気扇Ｆが停止している状態（オフ状態）に移行する。
【００３８】
上記本実施形態では、オン状態からオフ状態に移行するためにはオフ操作スイッチＳＷ３を３秒以上押操作しなければならず、したがって不用意にオフすることなく、且つ比較的容易に使用者の判断によりオフさせることも可能であり、常時換気設備として、設備の意図する性能を継続的に発揮することができ、実施形態１と同様の効果を得ることができる。
【００３９】
（実施形態３）
本実施形態の電子スイッチＡは実施形態１と略同様であるが、図６に示すように、商用電源ＡＣと換気扇Ｆとの直列回路を端子部１の端子１ａ，１ｂ間に接続して（端子１ａに電圧側配線を接続している）、電子スイッチＡの内部では、端子１ａ、１ｂ間に負荷制御部２が接続されている点が異なり、同様の構成には同一の符号を付して説明は省略する。
【００４０】
図７は本実施形態の電子スイッチＡの具体回路を示し、端子１ａ，１ｂ間にはバリスタＺＮＲとコンデンサＣ１とが接続されるとともに、インダクタＬ１を介して整流器ＤＢに接続されている。整流器ＤＢの高圧側出力はベース−エミッタ間に抵抗Ｒ１３を接続したトランジスタＱ１及びダイオードＤ１の直列回路と抵抗Ｒ１との並列回路を介して、電源回路部５に接続しており、低圧側出力にはグランドレベルに接続している。電源回路部５は、電源用ＩＣＩＣ１の入力側にツェナダイオードＺＤ１とコンデンサＣ２を接続し、出力側にはコンデンサＣ３を接続して制御電源を出力している。
【００４１】
制御回路部４は、マイコンＭを備えて、マイコンＭのＶｄｄ−Ｖｓｓ端子間には電源回路部５で生成した制御電源を入力して動作しており、スイッチ入力端子Ｆ０、用途切替端子Ｇ１／Ｔｏｕｔは抵抗Ｒ２，Ｒ３を各々介して制御電源と接続しており、スイッチ入力端子Ｆ０はオン／オフ操作スイッチＳＷ１を介してグランドレベルに接続し、用途切替端子Ｇ１／ＴｏｕｔはジャンパーピンＪＰを介してグランドレベルに接続している。出力端子Ｄ１、表示端子Ｄ２、Ｄ３は抵抗Ｒ４，Ｒ５，Ｒ６を各々介して制御電源と接続しており、出力端子Ｄ１は負荷制御部２に接続し、表示端子Ｄ２は緑のＬＥＤ１と電流制限用の抵抗Ｒ６の直列回路を介してダイオードＤ１の出力に接続し、表示端子Ｄ３は赤のＬＥＤ２と抵抗Ｒ７の直列回路を介してダイオードＤ１の出力に接続している。
【００４２】
ここでＬＥＤ２は電子スイッチＡの動作状態を報知するもので、電子スイッチＡの負荷開閉手段がオン状態であるときは連続点灯し、オフ状態であるときは消灯し、一時停止状態であるときは点滅する。
【００４３】
負荷制御部２では、整流器ＤＢの出力端間にサイリスタＳＣＲが接続されており、整流器ＤＢとサイリスタＳＣＲとで負荷開閉手段を構成している。そして、ベース、ベース−エミッタ間、制御電源−コレクタ間に各々抵抗Ｒ８，Ｒ９、Ｒ１０を接続したトランジスタＱ２のベースには、抵抗Ｒ８を介してマイコンＭの出力端子Ｄ１が接続され、コレクタはトランジスタＱ３のベースに接続し、エミッタはグランドレベルに接続している。トランジスタＱ３のベース−グランドレベル間には抵抗Ｒ１１が接続され、エミッタはグランドレベルに接続し、コレクタは抵抗Ｒ１２を介してトランジスタＱ１のベースに接続している。そしてトランジスタＱ１のベースはサイリスタＳＣＲの制御端子に接続しており、制御端子−グランドレベル間には抵抗Ｒ１４、コンデンサＣ３が接続されている。
【００４４】
マイコンＭはオン／オフ操作スイッチＳＷ１の押操作によって、出力端子Ｄ１の出力を反転させることで、トランジスタＱ２、Ｑ３、Ｑ１のオン・オフを制御し、サイリスタＳＣＲのオン・オフを切り替えている。
【００４５】
上記本実施形態では、請求項１と同様の動作を行い同様の効果を得ることができ、さらに、従来の換気扇用スイッチと同様の配線で施工することができるので、既に施工されている換気扇用スイッチを電源スイッチとした換気扇回路においては、この電子スイッチＡのみを本実施形態の換気扇用スイッチに交換することで、常時換気設備として運転することが可能となる。
【００４６】
（実施形態４）
本実施形態の電子スイッチＡの構成は実施形態１と同様に図１に示され、同様の構成には同一の符号を付して説明は省略する。本実施形態の制御回路部４は、負荷制御部２の負荷開閉手段がオフ状態時にオン／オフ操作スイッチＳＷ１のオン操作が行われた場合、３秒以上連続してオン操作されたときのみオン信号を負荷制御部２に出力して負荷開閉手段をオフ状態からオン状態に移行させるもので、その動作について、図８（ａ），（ｂ）の動作フローを用いて説明する。
【００４７】
まず負荷開閉手段がオフして換気扇Ｆへの電力供給がオフしている状態で、オン／オフ操作スイッチＳＷ１を押操作すると（時間ｔ２０）、制御回路部４はこの押操作開始（時間ｔ２０）から押操作終了（時間ｔ２１）までの時間（押操作時間）を計測し、この押操作時間（ｔ２１−ｔ２０）が３秒以上であればこのオン／オフ操作スイッチＳＷ１からの入力を受け付ける。しかし今回の押操作時間（ｔ２１−ｔ２０）が３秒未満であったので、制御回路部４はオン／オフ操作スイッチＳＷ１からの入力をキャンセルし、制御回路部４は負荷制御部２にオン信号を出力しないで、換気扇Ｆの停止を継続する。
【００４８】
再びオン／オフ操作スイッチＳＷ１を押操作すると（時間ｔ２２）、今回の押操作時間（ｔ２３−ｔ２２）が３秒以上であったので、制御回路部４はオン／オフ操作スイッチＳＷ１からの入力を受け付けて、制御回路部４は負荷制御部２にオン信号を出力する。オン信号を入力された負荷制御部２は負荷開閉手段をオンして、商用電源ＡＣから換気扇Ｆへの電力供給をオンして換気扇Ｆを運転させる。
【００４９】
そして換気扇Ｆが常時運転している状態でオン／オフ操作スイッチＳＷ１を押操作すると（時間ｔ２４）この押操作時間（ｔ２５−ｔ２４）が３秒以上であればこのオン／オフ操作スイッチＳＷ１からの入力を受け付ける。しかし今回の押操作時間（ｔ２５−ｔ２４）が３秒未満であったので、制御回路部４はオン／オフ操作スイッチＳＷ１からの入力をキャンセルし、制御回路部４は負荷制御部２にオフ信号を出力しないで、換気扇Ｆの運転を継続する。
【００５０】
再びオン／オフ操作スイッチＳＷ１を押操作すると（時間ｔ２６）、今回の押操作時間（ｔ２７−ｔ２６）が３秒以上であったので、制御回路部４はオン／オフ操作スイッチＳＷ１からの入力を受け付けて、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【００５１】
本実施形態の状態遷移図は図３に示され、換気扇Ｆが停止している状態（オフ状態）でオン／オフ操作スイッチＳＷ１が３秒以上押操作されると（Ｓ１）、換気扇Ｆが運転している状態（オン状態）に移行する。また、換気扇Ｆが運転している状態（オン状態）ではオン／オフ操作スイッチＳＷ１が３秒以上押操作されると（Ｓ２）、換気扇Ｆが停止している状態（オフ状態）に移行する。
【００５２】
上記本実施形態では、オン時にも所定時間以上の操作時間を必要とするので、メンテナンス時等において不用意に換気扇が運転されることを防止している。
【００５３】
（実施形態５）
本実施形態の電子スイッチＡは実施形態４と略同様であるが、オン／オフ操作スイッチＳＷ１の押操作時間が予め規定した数秒程度の時間（本実施形態では３秒とする）を経過した時点でこのオン／オフ操作スイッチＳＷ１からの入力を受け付けて、制御回路部４は負荷制御部２にオン信号またはオフ信号を出力するもので、その動作について、図９（ａ），（ｂ）の動作フローを用いて説明する。
【００５４】
まず負荷開閉手段がオフして換気扇Ｆへの電力供給がオフしている状態で、オン／オフ操作スイッチＳＷ１を押操作すると（時間ｔ３０）、制御回路部４はこの押操作開始（時間ｔ３０）から押操作時間の計測を開始し、押操作時間が３秒を経過した時点でこのオン／オフ操作スイッチＳＷ１からの入力を受け付ける。しかし今回の押操作時間（ｔ３１−ｔ３０）が３秒未満であったので、制御回路部４はオン／オフ操作スイッチＳＷ１からの入力をキャンセルし、制御回路部４は負荷制御部２にオン信号を出力しないで、換気扇Ｆの停止を継続する。
【００５５】
再びオン／オフ操作スイッチＳＷ１を押操作すると（時間ｔ３２〜ｔ３４）、押操作時間が時間Ｔ０（３秒）を経過した時点（時間ｔ３３＜時間ｔ３４）で、制御回路部４はオン／オフ操作スイッチＳＷ１からの入力を受け付けて、制御回路部４は負荷制御部２にオン信号を出力する。オン信号を入力された負荷制御部２は負荷開閉手段をオンして、商用電源ＡＣから換気扇Ｆへの電力供給をオンして換気扇Ｆを運転させる。
【００５６】
そして換気扇Ｆが常時運転している状態でオン／オフ操作スイッチＳＷ１を押操作すると（時間ｔ３５〜ｔ３６）、今回の押操作時間（ｔ３６−ｔ３５）が３秒未満であったので、制御回路部４はオン／オフ操作スイッチＳＷ１からの入力をキャンセルし、制御回路部４は負荷制御部２にオフ信号を出力しないで、換気扇Ｆの運転を継続する。
【００５７】
再びオン／オフ操作スイッチＳＷ１を押操作すると（時間ｔ３７〜ｔ３９）、押操作時間が時間Ｔ０（３秒）を経過した時点（時間ｔ３８＜ｔ３９）で、制御回路部４はオン／オフ操作スイッチＳＷ１からの入力を受け付けて、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【００５８】
上記本実施形態では、オン／オフ操作スイッチＳＷ１が所定時間以上押操作された場合、制御回路部４は、押操作時間によらず、押操作開始から所定時間後にオン信号またはオフ信号を出力するので、操作感を安定したものにしている。
【００５９】
（実施形態６）
本実施形態の電子スイッチＡは実施形態１と略同様であるが、図１０に示すように、操作部３に押釦形の一時停止スイッチＳＷ４と、設定部７とを設けた点が異なり、同様の構成には同一の符号を付して説明は省略する。
【００６０】
本実施形態の動作について、図１１（ａ）〜（ｃ）の動作フローを用いて説明する。まず負荷開閉手段がオフして換気扇Ｆへの電力供給がオフしている状態で、オン／オフ操作スイッチＳＷ１を押操作すると（時間ｔ４０）、制御回路部４は即時にオン信号を負荷制御部２に出力し、負荷制御部２は負荷開閉手段をオンして、商用電源ＡＣから換気扇Ｆへの電力供給をオンして換気扇Ｆを運転させる。
【００６１】
そして制御回路部４は、換気扇Ｆが常時運転している状態で一時停止スイッチＳＷ４を押操作すると（時間ｔ４１）、負荷制御部２にオフ信号を出力して、押操作終了後（時間ｔ４２）から所定のタイマ時間Ｔ１の間、換気扇Ｆの運転を一時停止させる。タイマ時間Ｔ１の経過後（時間ｔ４３）は、負荷制御部２にオン信号を再び出力して、換気扇Ｆの運転を再開する。
【００６２】
そして換気扇Ｆが常時運転している状態でオン／オフ操作スイッチＳＷ１を押操作すると（時間ｔ４４）、制御回路部４はこの押操作開始（時間ｔ４４）から押操作終了（時間ｔ４５）までの時間（押操作時間）を計測し、この押操作時間（ｔ４５−ｔ４４）が予め規定した３秒以上であればこのオン／オフ操作スイッチＳＷ１からの入力を受け付ける。しかし今回の押操作時間（ｔ４５−ｔ４４）が３秒未満であったので、制御回路部４はオン／オフ操作スイッチＳＷ１からの入力をキャンセルし、制御回路部４は負荷制御部２にオフ信号を出力しないで、換気扇Ｆの運転を継続する。
【００６３】
再びオン／オフ操作スイッチＳＷ１を押操作すると（時間ｔ４６）、今回の押操作時間（ｔ４７−ｔ４６）が３秒以上であったので、制御回路部４はオン／オフ操作スイッチＳＷ１からの入力を受け付けて、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【００６４】
図１２は本実施形態の状態遷移図を示しており、換気扇Ｆが停止している状態（オフ状態）でオン／オフ操作スイッチＳＷ１が押操作されると（Ｓ１）、換気扇Ｆが運転している状態（オン状態）に即時に移行する。また、換気扇Ｆが運転している状態（オン状態）で一時停止スイッチＳＷ４が押操作されると（Ｓ３）一時停止状態となり、一時停止状態となってから所定のタイマ時間Ｔ１が経過すると（Ｓ４）換気扇Ｆが運転している状態（オン状態）に復帰する。さらに、換気扇Ｆが運転している状態（オン状態）ではオン／オフ操作スイッチＳＷ１が３秒以上押操作されると（Ｓ２）、換気扇Ｆが停止している状態（オフ状態）に移行する。
【００６５】
なお、上記タイマ時間Ｔ１は、切替スイッチや可変抵抗器等で構成される設定部７によって可変、設定可能である。
【００６６】
上記本実施形態では、浴室やトイレの換気扇を常時換気設備として運転した際、冬場の入浴時や用便時等の寒いときに換気扇を一時的に停止させることができ、一時停止状態から常時（２４時間）換気への復旧忘れを防止する。
【００６７】
（実施形態７）
本実施形態の電子スイッチＡの構成は実施形態１と同様に図１に示され、同様の構成には同一の符号を付して説明は省略する。本実施形態の制御回路部４は、負荷制御部２の負荷開閉手段がオン状態時にオン／オフ操作スイッチＳＷ１を３秒未満押操作した場合、負荷制御部２にオフ信号を出力して、所定のタイマ時間Ｔ１の間、換気扇Ｆの運転を一時停止させるもので、その動作について、図１３（ａ），（ｂ）の動作フローを用いて説明する。
【００６８】
まず負荷開閉手段がオフして換気扇Ｆへの電力供給がオフしている状態で、オン／オフ操作スイッチＳＷ１を押操作すると（時間ｔ５０）、制御回路部４は即時にオン信号を負荷制御部２に出力し、負荷制御部２は負荷開閉手段をオンして、商用電源ＡＣから換気扇Ｆへの電力供給をオンして換気扇Ｆを運転させる。
【００６９】
そして制御回路部４は、換気扇Ｆが常時運転している状態でオン／オフ操作スイッチＳＷ１を押操作すると（時間ｔ５１）、制御回路部４はこの押操作開始（時間ｔ５１）から押操作終了（時間ｔ５２）までの時間（押操作時間）を計測し、この押操作時間（ｔ５２−ｔ５１）が予め規定した３秒未満であれば、押操作終了後（時間ｔ５２）から負荷制御部２にオフ信号を出力して、所定のタイマ時間Ｔ１の間、換気扇Ｆの運転を一時停止させる。タイマ時間Ｔ１の経過後（時間ｔ５３）は、負荷制御部２にオン信号を再び出力して、換気扇Ｆの運転を再開する。
【００７０】
そして換気扇Ｆが常時運転している状態でオン／オフ操作スイッチＳＷ１を押操作すると（時間ｔ５４）、制御回路部４は、今回の押操作時間（ｔ５５−ｔ５４）が３秒以上であったので、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【００７１】
図１２は本実施形態の状態遷移図を示しており、換気扇Ｆが停止している状態（オフ状態）でオン／オフ操作スイッチＳＷ１が押操作されると（Ｓ１）、換気扇Ｆが運転している状態（オン状態）に即時に移行する。また、換気扇Ｆが運転している状態（オン状態）でオン／オフ操作スイッチＳＷ１が３秒未満押操作されると（Ｓ３）一時停止状態となり、一時停止状態となってから所定のタイマ時間Ｔ１が経過すると（Ｓ４）換気扇Ｆが運転している状態（オン状態）に復帰する。さらに、換気扇Ｆが運転している状態（オン状態）ではオン／オフ操作スイッチＳＷ１が３秒以上押操作されると（Ｓ２）、換気扇Ｆが停止している状態（オフ状態）に移行する。
【００７２】
上記本実施形態では、実施形態６に比べて操作スイッチの数を減らして同様の機能操作を実現しており、部品数の削減による合理化、器具の小形化、さらには器具サイズに対して操作部３を大きくすることが可能となる。
【００７３】
（実施形態８）
本実施形態の電子スイッチＡの構成は実施形態６と同様であり、同様の構成には同一の符号を付して説明は省略する。本実施形態の制御回路部４は、負荷制御部２の負荷開閉手段をオン状態からオフ状態に一定時間移行させている状態時に、一時停止操作スイッチＳＷ４を押操作した場合、負荷開閉手段のオフ状態を一定時間延長するもので、その動作について、図１４（ａ）〜（ｃ）の動作フローを用いて説明する。
【００７４】
まず負荷開閉手段がオフして換気扇Ｆへの電力供給がオフしている状態で、オン／オフ操作スイッチＳＷ１を押操作すると（時間ｔ６０）、制御回路部４は即時にオン信号を負荷制御部２に出力し、負荷制御部２は負荷開閉手段をオンして、商用電源ＡＣから換気扇Ｆへの電力供給をオンして換気扇Ｆを運転させる。
【００７５】
そして制御回路部４は、換気扇Ｆが常時運転している状態で一時停止スイッチＳＷ４を押操作すると（時間ｔ６１）、負荷制御部２にオフ信号を出力して、押操作終了後（時間ｔ６２）から所定のタイマ時間Ｔ１の間、換気扇Ｆの運転を一時停止させる。一時停止状態中に一時停止スイッチＳＷ４を再び押操作すると（時間ｔ６３）、押操作終了後（時間ｔ６４）からさらにタイマ時間Ｔ１の間、一時停止状態を延長する。この延長したタイマ時間Ｔ１の経過後（時間ｔ６５）は、負荷制御部２にオン信号を再び出力して、換気扇Ｆの運転を再開する。
【００７６】
そして換気扇Ｆが常時運転している状態でオン／オフ操作スイッチＳＷ１を押操作すると（時間ｔ６６）、制御回路部４はこの押操作開始（時間ｔ６６）から押操作終了（時間ｔ６７）までの時間（押操作時間）を計測し、この押操作時間（ｔ６７−ｔ６６）が予め規定した３秒以上であればこのオン／オフ操作スイッチＳＷ１からの入力を受け付ける。しかし今回の押操作時間（ｔ６７−ｔ６６）が３秒未満であったので、制御回路部４はオン／オフ操作スイッチＳＷ１からの入力をキャンセルし、制御回路部４は負荷制御部２にオフ信号を出力しないで、換気扇Ｆの運転を継続する。
【００７７】
再びオン／オフ操作スイッチＳＷ１を押操作すると（時間ｔ６８）、今回の押操作時間（ｔ６９−ｔ６８）が３秒以上であったので、制御回路部４はオン／オフ操作スイッチＳＷ１からの入力を受け付けて、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【００７８】
図１５は本実施形態の状態遷移図を示しており、換気扇Ｆが停止している状態（オフ状態）でオン／オフ操作スイッチＳＷ１が押操作されると（Ｓ１）、換気扇Ｆが運転している状態（オン状態）に即時に移行する。また、換気扇Ｆが運転している状態（オン状態）で一時停止スイッチＳＷ４が押操作されると（Ｓ３）一時停止状態となり、一時停止状態となってから所定のタイマ時間Ｔ１が経過すると（Ｓ４）換気扇Ｆが運転している状態（オン状態）に復帰する。一時停止状態で一時停止スイッチＳＷ４が押操作されると（Ｓ５）一時停止状態をさらにタイマ時間Ｔ１延長する。さらに、換気扇Ｆが運転している状態（オン状態）ではオン／オフ操作スイッチＳＷ１が３秒以上押操作されると（Ｓ２）、換気扇Ｆが停止している状態（オフ状態）に移行する。
【００７９】
上記本実施形態では、必要に応じて運転を再開させることなく、一時停止状態を延長できるため使い勝手が向上している。
【００８０】
（実施形態９）
本実施形態の電子スイッチＡの構成は実施形態１と同様に図１に示され、同様の構成には同一の符号を付して説明は省略する。本実施形態の制御回路部４は、負荷制御部２の負荷開閉手段をオン状態からオフ状態に一定時間移行させている状態時に、オン／オフ操作スイッチＳＷ１を押操作した場合、負荷開閉手段のオフ状態を延長するもので、その動作について、図１６（ａ），（ｂ）の動作フローを用いて説明する。
【００８１】
まず負荷開閉手段がオフして換気扇Ｆへの電力供給がオフしている状態で、オン／オフ操作スイッチＳＷ１を押操作すると（時間ｔ７０）、制御回路部４は即時にオン信号を負荷制御部２に出力し、負荷制御部２は負荷開閉手段をオンして、商用電源ＡＣから換気扇Ｆへの電力供給をオンして換気扇Ｆを運転させる。
【００８２】
そして換気扇Ｆが常時運転している状態でオン／オフ操作スイッチＳＷ１を押操作すると（時間ｔ７１）、制御回路部４はこの押操作開始（時間ｔ７１）から押操作終了（時間ｔ７２）までの時間（押操作時間）を計測し、この押操作時間（ｔ７２−ｔ７１）が予め規定した３秒未満であるので、押操作終了後（時間ｔ７２）から負荷制御部２にオフ信号を出力して、所定のタイマ時間Ｔ１の間、換気扇Ｆの運転を一時停止させる。一時停止状態中にオン／オフ操作スイッチＳＷ１を再び押操作すると（時間ｔ７３）、押操作終了後（時間ｔ７４）からさらにタイマ時間Ｔ１の間、一時停止状態を延長する。この延長したタイマ時間Ｔ１の経過後（時間ｔ７５）は、負荷制御部２にオン信号を再び出力して、換気扇Ｆの運転を再開する。
【００８３】
そして換気扇Ｆが常時運転している状態でオン／オフ操作スイッチＳＷ１を押操作し（時間ｔ７６）、今回の押操作時間（ｔ７７−ｔ７６）が３秒以上であったので、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【００８４】
図１５は本実施形態の状態遷移図を示しており、換気扇Ｆが停止している状態（オフ状態）でオン／オフ操作スイッチＳＷ１が押操作されると（Ｓ１）、換気扇Ｆが運転している状態（オン状態）に即時に移行する。また、換気扇Ｆが運転している状態（オン状態）でオン／オフ操作スイッチＳＷ１が３秒未満押操作されると（Ｓ３）一時停止状態となり、一時停止状態となってから所定のタイマ時間Ｔ１が経過すると（Ｓ４）換気扇Ｆが運転している状態（オン状態）に復帰する。一時停止状態でオン／オフ操作スイッチＳＷ１が押操作されると（Ｓ５）一時停止状態をさらにタイマ時間Ｔ１延長する。さらに、換気扇Ｆが運転している状態（オン状態）ではオン／オフ操作スイッチＳＷ１が３秒以上押操作されると（Ｓ２）、換気扇Ｆが停止している状態（オフ状態）に移行する。
【００８５】
上記本実施形態では、必要に応じて運転を再開させることなく、一時停止状態を延長できるため使い勝手が向上している。
【００８６】
（実施形態１０）
本実施形態の電子スイッチＡの構成は実施形態６と同様であり、同様の構成には同一の符号を付して説明は省略する。本実施形態の制御回路部４は、負荷制御部２の負荷開閉手段をオン状態からオフ状態に一定時間移行させている状態時に、一時停止操作スイッチＳＷ４を押操作した場合、オン信号を負荷制御部２に再び出力して負荷開閉手段のオン状態を復帰させるもので、その動作について、図１７（ａ），（ｂ），（ｃ）の動作フローを用いて説明する。
【００８７】
まず負荷開閉手段がオフして換気扇Ｆへの電力供給がオフしている状態で、オン／オフ操作スイッチＳＷ１を押操作すると（時間ｔ８０）、制御回路部４は即時にオン信号を負荷制御部２に出力し、負荷制御部２は負荷開閉手段をオンして、商用電源ＡＣから換気扇Ｆへの電力供給をオンして換気扇Ｆを運転させる。
【００８８】
そして制御回路部４は、換気扇Ｆが常時運転している状態で一時停止スイッチＳＷ４を押操作すると（時間ｔ８１）、押操作終了後（時間ｔ８２）から負荷制御部２にオフ信号を出力して、所定のタイマ時間Ｔ１の間、換気扇Ｆの運転を一時停止させる。一時停止状態中に一時停止スイッチＳＷ４を再び押操作すると（時間ｔ８３）、押操作終了後（時間ｔ８４）から、負荷制御部２にオン信号を再び出力して、換気扇Ｆの運転を再開する。
【００８９】
そして換気扇Ｆが常時運転している状態でオン／オフ操作スイッチＳＷ１を押操作すると（時間ｔ８５）、制御回路部４はこの押操作開始（時間ｔ８５）から押操作終了（時間ｔ８６）までの時間（押操作時間）を計測し、この押操作時間（ｔ８６−ｔ８５）が予め規定した３秒以上であればこのオン／オフ操作スイッチＳＷ１からの入力を受け付ける。しかし今回の押操作時間（ｔ８６−ｔ８５）が３秒未満であったので、制御回路部４はオン／オフ操作スイッチＳＷ１からの入力をキャンセルし、制御回路部４は負荷制御部２にオフ信号を出力しないで、換気扇Ｆの運転を継続する。
【００９０】
再びオン／オフ操作スイッチＳＷ１を押操作すると（時間ｔ８７）、今回の押操作時間（ｔ８８−ｔ８７）が３秒以上であったので、制御回路部４はオン／オフ操作スイッチＳＷ１からの入力を受け付けて、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【００９１】
図１２は本実施形態の状態遷移図を示しており、換気扇Ｆが停止している状態（オフ状態）でオン／オフ操作スイッチＳＷ１が押操作されると（Ｓ１）、換気扇Ｆが運転している状態（オン状態）に即時に移行する。また、換気扇Ｆが運転している状態（オン状態）で一時停止スイッチＳＷ４が押操作されると（Ｓ３）一時停止状態となり、一時停止状態となってから所定のタイマ時間Ｔ１が経過する、あるいは一時停止スイッチＳＷ４が押操作されると（Ｓ４）換気扇Ｆが運転している状態（オン状態）に復帰する。さらに、換気扇Ｆが運転している状態（オン状態）ではオン／オフ操作スイッチＳＷ１が３秒以上押操作されると（Ｓ２）、換気扇Ｆが停止している状態（オフ状態）に移行する。
【００９２】
上記本実施形態では、必要に応じて任意に一時停止状態を中断できるため、タイマ時間Ｔ１の経過前であっても常時換気運転を再開することが可能となり、使い勝手が向上する。
【００９３】
（実施形態１１）
本実施形態の電子スイッチＡの構成は実施形態１と同様に図１に示され、同様の構成には同一の符号を付して説明は省略する。本実施形態の制御回路部４は、負荷制御部２の負荷開閉手段をオン状態からオフ状態に一定時間移行させている状態時に、オン／オフ操作スイッチＳＷ１を押操作した場合、オン信号を負荷制御部２に再び出力して負荷開閉手段のオン状態を復帰させるもので、その動作について、図１８（ａ），（ｂ）の動作フローを用いて説明する。
【００９４】
まず負荷開閉手段がオフして換気扇Ｆへの電力供給がオフしている状態で、オン／オフ操作スイッチＳＷ１を押操作すると（時間ｔ９０）、制御回路部４は即時にオン信号を負荷制御部２に出力し、負荷制御部２は負荷開閉手段をオンして、商用電源ＡＣから換気扇Ｆへの電力供給をオンして換気扇Ｆを運転させる。
【００９５】
そして換気扇Ｆが常時運転している状態でオン／オフ操作スイッチＳＷ１を押操作すると（時間ｔ９１）、制御回路部４はこの押操作開始（時間ｔ９１）から押操作終了（時間ｔ９２）までの時間（押操作時間）を計測し、この押操作時間（ｔ９２−ｔ９１）が予め規定した３秒未満であるので、押操作終了後（時間ｔ９２）から負荷制御部２にオフ信号を出力して、所定のタイマ時間Ｔ１の間、換気扇Ｆの運転を一時停止させる。一時停止状態中にオン／オフ操作スイッチＳＷ１を再び押操作すると（時間ｔ９３）、押操作終了後（時間ｔ９４）から、負荷制御部２にオン信号を再び出力して一時停止状態を中止し、負荷開閉手段のオン状態を復帰させて、換気扇Ｆの運転を再開する。
【００９６】
そして換気扇Ｆが常時運転している状態でオン／オフ操作スイッチＳＷ１を押操作し（時間ｔ９５）、今回の押操作時間（ｔ９６−ｔ９５）が３秒以上であったので、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【００９７】
図１２は本実施形態の状態遷移図を示しており、換気扇Ｆが停止している状態（オフ状態）でオン／オフ操作スイッチＳＷ１が押操作されると（Ｓ１）、換気扇Ｆが運転している状態（オン状態）に即時に移行する。また、換気扇Ｆが運転している状態（オン状態）でオン／オフ操作スイッチＳＷ１が３秒未満押操作されると（Ｓ３）一時停止状態となり、一時停止状態となってから所定のタイマ時間Ｔ１が経過する、あるいはオン／オフ操作スイッチＳＷ１が押操作されると（Ｓ４）換気扇Ｆが運転している状態（オン状態）に復帰する。さらに、換気扇Ｆが運転している状態（オン状態）ではオン／オフ操作スイッチＳＷ１が３秒以上押操作されると（Ｓ２）、換気扇Ｆが停止している状態（オフ状態）に移行する。
【００９８】
上記本実施形態では、必要に応じて運転を再開させることなく、一時停止状態を延長できるため使い勝手が向上している。
【００９９】
（実施形態１２）
本実施形態の電子スイッチＡの構成は実施形態６と同様であり、同様の構成には同一の符号を付して説明は省略する。本実施形態の制御回路部４は、実施形態８の一時停止状態の延長操作，及び実施形態１０の一時停止状態の中止操作を１台の電子スイッチＡで実現したものであり、その動作について、図１９（ａ）〜（ｃ）の動作フローを用いて説明する。
【０１００】
まず負荷開閉手段がオフして換気扇Ｆへの電力供給がオフしている状態で、オン／オフ操作スイッチＳＷ１を押操作すると（時間ｔ１００）、制御回路部４は即時にオン信号を負荷制御部２に出力し、負荷制御部２は負荷開閉手段をオンして、商用電源ＡＣから換気扇Ｆへの電力供給をオンして換気扇Ｆを運転させる。
【０１０１】
そして制御回路部４は、換気扇Ｆが常時運転している状態で一時停止スイッチＳＷ４を押操作すると（時間ｔ１０１）、押操作終了後（時間ｔ１０２）から負荷制御部２にオフ信号を出力して、所定のタイマ時間Ｔ１の間、換気扇Ｆの運転を一時停止させる。一時停止状態中に一時停止スイッチＳＷ４を押操作すると（時間ｔ１０３）、制御回路部４はこの押操作開始（時間ｔ１０３）から押操作終了（時間ｔ１０４）までの時間（押操作時間）を計測し、この押操作時間（ｔ１０４−ｔ１０３）が予め規定した３秒未満であるので、押操作終了後（時間ｔ１０４）からさらにタイマ時間Ｔ１の間、一時停止状態を延長する。
【０１０２】
この一時停止状態中に一時停止スイッチＳＷ４を再び押操作すると（時間ｔ１０５）、押操作時間（ｔ１０６−ｔ１０５）が３秒以上であるので、押操作終了後（時間ｔ１０６）から、負荷制御部２にオン信号を再び出力して一時停止状態を中止し、負荷開閉手段のオン状態を復帰させて、換気扇Ｆの運転を再開する。
【０１０３】
そして換気扇Ｆが常時運転している状態でオン／オフ操作スイッチＳＷ１を押操作すると（時間ｔ１０７）、制御回路部４はこの押操作開始（時間ｔ１０７）から押操作終了（時間ｔ１０８）までの押操作時間を計測し、この押操作時間（ｔ１０８−ｔ１０７）が予め規定した３秒以上であればこのオン／オフ操作スイッチＳＷ１からの入力を受け付ける。しかし今回の押操作時間（ｔ１０８−ｔ１０７）が３秒未満であったので、制御回路部４はオン／オフ操作スイッチＳＷ１からの入力をキャンセルし、制御回路部４は負荷制御部２にオフ信号を出力しないで、換気扇Ｆの運転を継続する。
【０１０４】
再びオン／オフ操作スイッチＳＷ１を押操作すると（時間ｔ１０９）、今回の押操作時間（ｔ１１０−ｔ１０９）が３秒以上であったので、制御回路部４はオン／オフ操作スイッチＳＷ１からの入力を受け付けて、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【０１０５】
図１５は本実施形態の状態遷移図を示しており、換気扇Ｆが停止している状態（オフ状態）でオン／オフ操作スイッチＳＷ１が押操作されると（Ｓ１）、換気扇Ｆが運転している状態（オン状態）に即時に移行する。また、換気扇Ｆが運転している状態（オン状態）で一時停止スイッチＳＷ４が押操作されると（Ｓ３）一時停止状態となり、一時停止状態となってから所定のタイマ時間Ｔ１が経過する、あるいは一時停止スイッチＳＷ４が３秒以上押操作されると（Ｓ４）換気扇Ｆが運転している状態（オン状態）に復帰する。一時停止状態で一時停止スイッチＳＷ４が３秒未満押操作されると（Ｓ５）一時停止状態をさらにタイマ時間Ｔ１延長する。さらに、換気扇Ｆが運転している状態（オン状態）ではオン／オフ操作スイッチＳＷ１が３秒以上押操作されると（Ｓ２）、換気扇Ｆが停止している状態（オフ状態）に移行する。
【０１０６】
上記本実施形態は、操作スイッチの数を増やすことなく実施形態８，１０の効果を同時に合理的に実現している。
【０１０７】
（実施形態１３）
本実施形態の電子スイッチＡの構成は実施形態１と同様に図１に示され、同様の構成には同一の符号を付して説明は省略する。本実施形態の制御回路部４は、実施形態９の一時停止状態の延長操作，及び実施形態１１の一時停止状態の中止操作を１台の電子スイッチＡで実現したものであり、その動作について、図２０（ａ），（ｂ）の動作フローを用いて説明する。
【０１０８】
まず負荷開閉手段がオフして換気扇Ｆへの電力供給がオフしている状態で、オン／オフ操作スイッチＳＷ１を押操作すると（時間ｔ１２０）、制御回路部４は即時にオン信号を負荷制御部２に出力し、負荷制御部２は負荷開閉手段をオンして、商用電源ＡＣから換気扇Ｆへの電力供給をオンして換気扇Ｆを運転させる。
【０１０９】
そして、換気扇Ｆが常時運転している状態でオン／オフ操作スイッチＳＷ１を押操作すると（時間ｔ１２１）、制御回路部４はこの押操作開始（時間ｔ１２１）から押操作終了（時間ｔ１２２）までの時間（押操作時間）を計測し、この押操作時間（ｔ１２２−ｔ１２１）が予め規定した３秒未満であるので、押操作終了後（時間ｔ１２２）から負荷制御部２にオフ信号を出力して、所定のタイマ時間Ｔ１の間、換気扇Ｆの運転を一時停止させる。一時停止状態中にオン／オフ操作スイッチＳＷ１を押操作すると（時間ｔ１２３）、制御回路部４はこの押操作時間（ｔ１２４−ｔ１２３）が３秒未満であるので、押操作終了後（時間ｔ１２４）からさらにタイマ時間Ｔ１の間、一時停止状態を延長する。
【０１１０】
この一時停止状態中にオン／オフ操作スイッチＳＷ１を再び押操作すると（時間ｔ１２５）、押操作時間（ｔ１２６−ｔ１２５）が３秒以上であるので、押操作終了後（時間ｔ１２６）から、負荷制御部２にオン信号を再び出力して一時停止状態を中止し、負荷開閉手段のオン状態を復帰させて、換気扇Ｆの運転を再開する。
【０１１１】
そして換気扇Ｆが常時運転している状態でオン／オフ操作スイッチＳＷ１を押操作すると（時間ｔ１２７）、制御回路部４はこの押操作開始（時間ｔ１２７）から押操作終了（時間ｔ１２８）までの押操作時間を計測し、この押操作時間（ｔ１２８−ｔ１２７）が予め規定した３秒以上であればこのオン／オフ操作スイッチＳＷ１からの入力を受け付ける。今回の押操作時間（ｔ１２８−ｔ１２７）は３秒以上であったので、制御回路部４はオン／オフ操作スイッチＳＷ１からの入力を受け付けて、制御回路部４は負荷制御部２にオフ信号を出力する。オフ信号を入力された負荷制御部２は負荷開閉手段をオフして、商用電源ＡＣから換気扇Ｆへの電力供給をオフして換気扇Ｆを停止させる。
【０１１２】
図１５は本実施形態の状態遷移図を示しており、換気扇Ｆが停止している状態（オフ状態）でオン／オフ操作スイッチＳＷ１が押操作されると（Ｓ１）、換気扇Ｆが運転している状態（オン状態）に即時に移行する。また、換気扇Ｆが運転している状態（オン状態）でオン／オフ操作スイッチＳＷ１が３秒未満押操作されると（Ｓ３）一時停止状態となり、一時停止状態となってから所定のタイマ時間Ｔ１が経過する、あるいはオン／オフ操作スイッチＳＷ１が３秒以上押操作されると（Ｓ４）換気扇Ｆが運転している状態（オン状態）に復帰する。一時停止状態でオン／オフ操作スイッチＳＷ１が３秒未満押操作されると（Ｓ５）一時停止状態をさらにタイマ時間Ｔ１延長する。さらに、換気扇Ｆが運転している状態（オン状態）ではオン／オフ操作スイッチＳＷ１が３秒以上押操作されると（Ｓ２）、換気扇Ｆが停止している状態（オフ状態）に移行する。
【０１１３】
上記本実施形態は、操作スイッチの数を増やすことなく実施形態９，１１の効果を同時に合理的に実現している。
【０１１４】
（実施形態１４）
本実施形態の電子スイッチＡは、実施形態１〜１３いずれかの構成を備えており、その外観図を図２１（ａ）〜（ｄ）に示し、取付枠への取付構成を図２２に示す。電子スイッチＡの器体１４０は直方体状であって、合成樹脂成形品である前面開口したボディ１４０ａと、ボディ１４０ａの前面側に結合される後面開口した合成樹脂成形品であるカバー１４０ｂとにより形成される。
【０１１５】
器体１４０の短手方向の寸法は、埋込型の配線器具の施工時に用いる取付枠１３０に３個まで取着可能な寸法に形成してある。つまり、本実施形態に示す電子スイッチＡの器体１４０の短手方向の寸法は取付枠１３０の取付窓（器具取付孔）１３１の長手方向の寸法の略３分の１の寸法になる。
【０１１６】
一方、器体１４０の長手方向の寸法は取付窓１３１の短手方向の寸法に略等しく、器体１４０の前部を形成するカバー１４０ｂの長手方向の各側面には、取付枠１３０の取付窓１３１を囲む部位に３組設けた器具取付孔１３２に係合可能な取付爪１４１がそれぞれ一対ずつ突設してあり、取付爪１４１が器具取付孔１３２に係合することによって器体１４０が取付枠１３０に保持されるようにしてある。
【０１１７】
また、取付枠１３０の前面側には取付枠１３０の取付窓１３１よりも長寸かつ広幅の開口窓１０１，１１１を備える化粧プレート１００及びプレート枠１１０が重ね合わせて配置される。
【０１１８】
そして電子スイッチＡの器体１４０のカバー１４０ｂの前面側端部には、操作ハンドル（操作用押釦部）１２０ａを枢着するために、斜め前方に突出する一対の軸部１４２が一体に突設してある。軸部１４２の前端部はカバー１４０ｂの短手方向に沿った円柱状に形成される。操作ハンドル１２０ａの後面の一端部には、軸受部（図示なし）が設けてあり、軸部１４２を操作ハンドル１２０ａの軸受部に回動自在に嵌め込むことで操作ハンドル１２０ａを器体１４０に回動自在に枢着することができ、操作ハンドル１２０ａを押操作すると、操作ハンドル１２０ａは回動して、器体１４の前面に突出したオン／オフ操作スイッチＳＷ１が器体１４０に押し込まれる。
【０１１９】
また器体１４０の前面にはＬＥＤａが露出しており、ＬＥＤａは電子スイッチＡの負荷開閉手段がオン状態であるときは連続点灯し、オフ状態であるときは消灯し、一時停止状態であるときは点滅することでスイッチＡの状態表示を行い、ＬＥＤａの点灯状態は操作ハンドル１２０ａに設けた透光部１２１を介して確認できる。
【０１２０】
なお、図２２においては取付枠１３０に電子スイッチＡを３個取り付ける際に用いる操作ハンドル１２０ａを用いたものであって、化粧プレート１００及びプレート枠１１０の各開口窓１０１、１１１を３個で覆っている。
【０１２１】
図２３（ａ），（ｂ）は、取付枠１３０に電子スイッチＡを２個取り付ける際に用いる操作ハンドル１２０ｂを用いたものであって、化粧プレート１００及びプレート枠１１０の各開口窓１０１、１１１を２個で覆っている。
【０１２２】
また、器体１４０の前面で回動する操作ハンドル１２０ａの代わりに、図２４に示すような樹脂製シートからなるシート操作部１２０ｃを備えて、シート操作部１２０ｃが器体１４０の前後方向に変位することでオン／オフ操作スイッチＳＷ１を器体１４０に押し込む構成でもよい。
【０１２３】
（実施形態１５）
本実施形態の電子スイッチＡは、実施形態１〜１３いずれかの構成を備えており、その外観図を図２５（ａ），（ｂ）に示し、取付枠の構成を図２６に示す。電子スイッチＡの器体１４０は直方体状であって、合成樹脂成形品である前面開口したボディ１４０ａと、ボディ１４０ａの前面側に結合される後面開口した合成樹脂成形品であるカバー１４０ｂとにより形成される。器体１４０の短手方向の寸法は、大角連用形（ＪＩＳ  Ｃ８３０４参照）と称する埋込型の配線器具の施工時に用いる取付枠１３０に３個まで取着可能な寸法に形成してある。つまり、本実施形態に示す電子スイッチＡの器体１４０の短手方向の寸法は取付枠１３０の取付窓１３１の長手方向の寸法の略３分の１の寸法（例えばＪＩＳ規格で規格化された大角形連用配線器具の単位寸法）になる。
【０１２４】
なお、実施形態１４と異なる点は、ＪＩＳ規格で規格化された大角形連用配線器具の単位寸法に基づいて形成している点であり、機能上同様の構成には同一の符号を付して説明は省略する。
【０１２５】
（実施形態１６）
本実施形態では、実施形態１〜１３いずれかの構成を備えた電子スイッチを、照明器具のスイッチや常時換気設備の強・弱切替スイッチ等の他の用途のスイッチＢ１，Ｂ２とともに、１個用のスイッチボックスに用いるフラッシプレート２００に取り付けた外観図を図２７に示す。
【０１２６】
図２８は、図２７の内部配線図を示しており、スイッチＢ１，Ｂ２はその内部にスイッチＳＷ１０，ＳＷ２０を各々備えて、ランプＬａ１，Ｌａ２を各々オン・オフするものであり、電子スイッチＡは換気扇Ｆをオン・オフするものである。
【０１２７】
図２９は、図２７の別の内部配線図を示しており、ファンＦは、強端子Ｔａ１と弱端子Ｔａ２の２系統の入力を備えて、いずれの端子に電源を供給されるかによって風量を強・弱２段階に切り替えることができる。そして、スイッチＢ１はその内部にスイッチＳＷ１１を備えて、電子スイッチＡを介してファンＦに供給される商用電源ＡＣからの電力を、強端子Ｔａ１と弱端子Ｔａ２のいずれの端子に入力するかを切り替えている。スイッチＢ２はスイッチＳＷ２０を備えて、ランプＬａ２をオン・オフするものである。
【０１２８】
上記本実施形態では、従来例のカバー付スイッチに比べて以下の利点がある。従来は、１個用のスイッチボックス用のフラッシプレートにスイッチの操作部を覆うカバーを設けたものと、通常の電灯スイッチとを組み合わせて使用してきた。１個用のスイッチボックスには、通常１個モジュールの連用器具であれば３台まで取り付けることが可能であるが、フラッシプレートの中のスイッチ全てが不用意に操作することができなくなり、頻繁に操作する用途のスイッチまでも容易に操作できなくなっていた。つまりは、換気扇用の電子スイッチＡは頻繁に操作する用途のスイッチとは連用、連接しての取り付けが困難であった。また、常時換気設備に換気の・弱があり、強・弱切替スイッチがある等の場合では、使い勝手を考慮しても１つのフラッシプレートにより取り付けた方が望ましいが上記の理由で１つのフラッシプレートに連用、連接しての取り付けができなかった。
【０１２９】
しかし本実施形態では、不用意にオフされることが望ましくない常時換気設備の主電源スイッチ（電子スイッチＡ）と頻繁に操作されるような使い勝手の要求仕様が異なる他の用途のスイッチ（照明器具のスイッチや常時換気設備の強・弱切替スイッチなど）を、フラッシプレートの開口窓の長手方向寸法の略１／３の寸法を３倍した寸法に形成された電子スイッチＡの場合は、２個以上のスイッチボックス用のフラッシプレート、及びスイッチボックス各々１つを用いて、壁面にあけた１つの取付孔に取り付けることが可能となるため、複数のフラッシプレートとスイッチボックスを用いて施工する場合より、合理的、且つ省施工で見栄えよい取付が可能となる。
【０１３０】
また、フラッシプレートの開口窓の長手方向寸法の略１／３の寸法を１倍、及び２倍した寸法に形成された電子スイッチＡに限っては、他の用途のスイッチと同一の取付枠、同一の１個用のスイッチボックス用のフラッシプレートを用いて施工することが可能となる。また、小形で安価な１個用のフラッシプレート、及びスイッチボックスを用いて他の用途のスイッチと一緒に施工することが可能となるため、合理的であり、壁面の取付孔も小さくて済み、施工の手間が省ける。さらに、壁面のスイッチが専有する面積が２個以上のスイッチボックス用のフラッシプレートを使用する場合に比べて低減することが可能となり、壁面の有効活用が図れ、狭い取り付け場所に取り付けることも可能となる。
【０１３１】
【発明の効果】
請求項１の発明によれば、不用意にオフすることなく、且つ容易に使用者の判断によりオフさせることも可能であり、常時換気設備として設備の意図する性能を継続的に発揮することができるという効果がある。さらには、小型且つ安価に構成できるものである。
【０１３２】
請求項２の発明によれば、換気扇をオン・オフする従来の電源スイッチと同じ配線方法で施行できるため、換気扇回路の既に施工されているスイッチのみを本発明品に交換することで常時換気設備として運転することができるという効果がある。
【０１３３】
請求項３の発明によれば、メンテナンス時などに不用意に換気設備を運転されることを防止することができるという効果がある。
【０１３４】
請求項４の発明によれば、浴室やトイレの換気扇を常時換気設備として運転した際、冬場の入浴時や用便時等の寒いときに換気扇を一時的に停止させることができ、さらに一時停止状態から常時（２４時間）換気への復旧忘れを防止することができるという効果がある。
【０１３５】
請求項５の発明によれば、請求項４の機能を削減せずに操作スイッチの数を減らすことができ、部品数の削減による合理化、器具の小形化、さらには器具サイズに対して操作部を大きくすることができるという効果がある。
【０１３６】
請求項６の発明によれば、必要に応じて運転を再開させることなく、一時停止状態を延長でき、使い勝手を向上させることができるという効果がある。
【０１３７】
請求項７の発明によれば、必要に応じて運転を再開させることなく、一時停止状態を延長でき、使い勝手を向上させることができるという効果がある。
【０１３８】
請求項８の発明によれば、必要に応じて任意に一時停止状態を中断できるため、常時換気運転を再開することが可能となり、使い勝手を向上させることができるという効果がある。
【０１３９】
請求項９の発明によれば、必要に応じて任意に一時停止状態を中断できるため、常時換気運転を再開することが可能となり、使い勝手を向上させることができるという効果がある。
【０１４０】
請求項１０の発明によれば、操作スイッチの数を増やすことなく、請求項６，８と同様の効果を同時に実現することができるという効果がある。
【０１４１】
請求項１１の発明によれば、操作スイッチの数を増やすことなく、請求項７，９と同様の効果を同時に実現することができるという効果がある。
【０１４２】
請求項１２の発明によれば、合理的、且つ省施工で見栄えよい取付が可能となるいう効果がある。
【０１４３】
請求項１３の発明によれば、常時換気状態、一時停止状態、停止状態が積極表示されて使い勝手が良いという効果がある。また、１つの表示灯で３状態を識別でき経済的でもある。
【図面の簡単な説明】
【図１】本発明の実施形態１の構成を示す図である。
【図２】（ａ），（ｂ）同上の動作フローを示す図である。
【図３】同上の状態遷移を示す図である。
【図４】本発明の実施形態２の構成を示す図である。
【図５】（ａ），（ｂ），（ｃ）同上の動作フローを示す図である。
【図６】本発明の実施形態３の構成を示す図である。
【図７】同上の具体回路を示す図である。
【図８】（ａ），（ｂ）本発明の実施形態４の動作フローを示す図である。
【図９】（ａ），（ｂ）本発明の実施形態５の動作フローを示す図である。
【図１０】本発明の実施形態６の構成を示す図である。
【図１１】（ａ），（ｂ），（ｃ）同上の動作フローを示す図である。
【図１２】同上の状態遷移を示す図である。
【図１３】（ａ），（ｂ）本発明の実施形態７の動作フローを示す図である。
【図１４】（ａ），（ｂ），（ｃ）本発明の実施形態８の動作フローを示す図である。
【図１５】同上の状態遷移を示す図である。
【図１６】（ａ），（ｂ）本発明の実施形態９の動作フローを示す図である。
【図１７】（ａ），（ｂ），（ｃ）本発明の実施形態１０の動作フローを示す図である。
【図１８】（ａ），（ｂ）本発明の実施形態１１の動作フローを示す図である。
【図１９】（ａ），（ｂ），（ｃ）本発明の実施形態１２の動作フローを示す図である。
【図２０】（ａ），（ｂ）本発明の実施形態１３の動作フローを示す図である。
【図２１】（ａ）本発明の実施形態１４の電子スイッチの外観を示す前面図である。
（ｂ）同上の電子スイッチの外観を示す端面図である。
（ｃ）同上の電子スイッチの外観を示す側面図である。
（ｄ）同上の電子スイッチの外観を示す後面図である。
【図２２】同上の電子スイッチの取付時の分解斜視図である。
【図２３】（ａ）同上の電子スイッチの取付時の別の形態の側面図である。
（ｂ）同上の電子スイッチの取付時の別の形態の前面図である。
【図２４】同上の電子スイッチの別の操作ハンドルを示す斜視図である。
【図２５】（ａ）本発明の実施形態１５の電子スイッチの外観を示す側面図である。
（ｂ）同上の電子スイッチの外観を示す前面図である。
【図２６】同上の電子スイッチの取付枠を示す斜視図である。
【図２７】本発明の実施形態１６の電子スイッチの取付状態を示す図である。
【図２８】同上の電子スイッチの内部配線を示す図である。
【図２９】同上の電子スイッチの別の内部配線を示す図である。
【符号の説明】
Ａ  換気扇用電子スイッチ
ＡＣ  商用電源
Ｆ  換気扇
１  端子部
２  負荷制御部
３  操作部
４  制御回路部
５  電源回路部
６  表示灯部
ＳＷ１  オン／オフ操作スイッチ
【図１】
2005016818.tif 000003
【図２】
2005016818.tif 000004
【図３】
2005016818.tif 000005
【図４】
2005016818.tif 000006
【図５】
2005016818.tif 000007
【図６】
2005016818.tif 000008
【図７】
2005016818.tif 000009
【図８】
2005016818.tif 000010
【図９】
2005016818.tif 000011
【図１０】
2005016818.tif 000012
【図１１】
2005016818.tif 000013
【図１２】
2005016818.tif 000014
【図１３】
2005016818.tif 000015
【図１４】
2005016818.tif 000016
【図１５】
2005016818.tif 000017
【図１６】
2005016818.tif 000018
【図１７】
2005016818.tif 000019
【図１８】
2005016818.tif 000020
【図１９】
2005016818.tif 000021
【図２０】
2005016818.tif 000022
【図２１】
2005016818.tif 000023
【図２２】
2005016818.tif 000024
【図２３】
2005016818.tif 000025
【図２４】
2005016818.tif 000026
【図２５】
2005016818.tif 000027
【図２６】
2005016818.tif 000028
【図２７】
2005016818.tif 000029
【図２８】
2005016818.tif 000030
【図２９】
2005016818.tif 000031